(57)【要約】電気通信システム（１０）が１または２以上の無線アクセスネットワーク制御装置（２６）と１または２以上の無線基地局（２８）とを備える。無線アクセスネットワーク制御装置（２６）は無線基地局（２８）のオペレーションを監督する。監督処理を容易なものとするため、無線ネットワーク制御装置（２６）は、無線基地局（２８）から測定容量報告を受け取り、無線基地局（２８）の報告要求を特定する測定制御パラメータを決定する。無線基地局（２８）の容量を超えないように、測定制御パラメータを連続的に調整する。また、測定制御パラメータを決定する際には、無線ネットワーク制御装置（２６）の容量も考慮する。【選択図】図２
2011515873.tif 000002
【特許請求の範囲】
【請求項１】
測定報告を制御する方法であって、
電気通信システム（１０）の無線基地局（２８）から測定容量報告を受け取る（２−１）ことと、
前記測定容量報告に基づいて前記無線基地局（２８）の１または２以上の測定制御パラメータを初期決定する（２−２）ことと、
初期決定した前記１または２以上の測定制御パラメータを前記無線基地局（２８）へ送る（２−３）ことと、
前記無線基地局（２８）から１または２以上の測定報告を受け取る（２−４）ことと、
前記無線基地局（２８）からの前記１または２以上の測定報告に基づいて前記１または２以上の測定制御パラメータを調整する（２−５）ことと、
調整した前記１または２以上の測定制御パラメータ命令を前記無線基地局（２８）へ送る（２−６）ことと
を含み、
初期決定した前記１または２以上の測定制御パラメータおよび調整した前記１または２以上の測定制御パラメータの両方が、前記無線基地局（２８）からの報告要求を特定し、前記無線基地局（２８）の容量を超えずに前記報告要求を満たすようなものであることを特徴とする方法。
【請求項２】
前記無線基地局（２８）から前記１または２以上の測定報告を受け取る（２−４）動作、前記無線基地局（２８）からの前記１または２以上の測定報告に基づいて前記１または２以上の測定制御パラメータを調整する（２−５）動作、調整した前記１または２以上の測定制御パラメータを前記無線基地局（２８）へ送る（２−６）動作は反復されることを特徴とする、請求項１に記載の方法。
【請求項３】
前記測定容量報告は、１または２以上の共通測定か、１または２以上の専用測定か、または両方を含み、
前記共通測定は、前記無線基地局（２８）の共通資源における測定であり、
前記専用測定は、前記無線基地局（２８）の専用資源における測定であること
を特徴とする、請求項１に記載の方法。
【請求項４】
前記共通測定は、ＦＡＣＨおよびＰＣＣＰＣＨを含む１または２以上の共通チャネルに対する送信電力測定を含み、
前記専用測定は、専用チャネルのＳＩＲ測定およびＢＥＲ測定を１または２以上含むこと
を特徴とする、請求項３に記載の方法。
【請求項５】
前記１または２以上の測定制御パラメータを調整する（２−５）動作は、
前記１または２以上の測定報告に含まれる測定の変化を決定する（２−５−１）ことと、
前記測定の変化が予め設定された限界を超えているかどうか判定する（２−５−２）ことと、
前記変化が前記予め設定された限界を超えていると判定された場合に、前記測定に関する１または２以上の測定制御パラメータを調整し、前記測定の報告頻度を増加させる（２−５−３）ことと、
前記測定制御パラメータに対する前記調整が前記無線基地局（２８）の容量を超えるかどうか判定する（２−５−４）ことと、
前記測定制御パラメータを再調整し（２−５−５）、再調整した前記測定制御パラメータが前記無線基地局（２８）の容量を超えないようにすることと
を含むことを特徴とする、請求項１に記載の方法。
【請求項６】
前記測定は、ユーザ装置ノード（３０）と前記無線基地局（２８）との間の通信に用いる無線周波数（ＲＦ）チャネルの状態を含むことを特徴とする、請求項５に記載の方法。
【請求項７】
前記測定制御パラメータを再調整する（２−５−５）動作において、前記測定に関係ない測定制御パラメータが調整されることを特徴とする、請求項５に記載の方法。
【請求項８】
前記無線基地局（２８）の動作を監督する前記無線ネットワーク制御装置（２６）の容量は、前記１または２以上の測定制御パラメータを初期決定する（２−２）動作と、前記無線基地局（２８）の前記１または２以上の測定制御パラメータを調整する（２−５）動作とにおいて考慮され、前記１または２以上の測定制御パラメータを初期決定する（２−２）動作、および前記無線基地局（２８）の前記１または２以上の測定制御パラメータを調整する（２−５）動作は、前記無線ネットワーク制御装置（２６）の容量を超えないように行われることを特徴とする、請求項１に記載の方法。
【請求項９】
前記無線基地局（２８）は複数の無線基地局（２８）のうちの１つであり、
請求項１に記載の全動作は、前記複数の無線基地局（２８）の各々に対して行われること
を特徴とする、請求項１に記載の方法。
【請求項１０】
前記複数の無線基地局（２８）の動作を監督する前記無線ネットワーク制御装置（２６）の容量は、前記１または２以上の測定制御パラメータを初期決定する（２−２）動作と、前記無線基地局（２８）の前記１または２以上の測定制御パラメータを調整する（２−５）動作とにおいて考慮され、前記１または２以上の測定制御パラメータを初期決定する（２−２）動作、および前記無線基地局（２８）の前記１または２以上の測定制御パラメータを調整する（２−５）動作は、前記無線ネットワーク制御装置（２６）の容量を超えないように行われることを特徴とする、請求項９に記載の方法。
【請求項１１】
電気通信システム（１０）の無線ネットワーク制御装置（２６）であって、
前記電気通信システム（１０）の無線基地局（２８）から測定容量報告を受け取るＩｕｂインタフェースと、
前記測定容量報告に基づいて前記無線基地局（２８）の１または２以上の測定制御パラメータを初期決定するＩｕｂ測定制御装置（４０）と
を備え、
前記Ｉｕｂインタフェースは、初期決定した前記１または２以上の測定制御パラメータを前記無線基地局（２８）へ送り、前記無線基地局（２８）から１または２以上の測定報告を受け取り、
Ｉｕｂ測定制御装置（４０）は、前記無線基地局（２８）からの前記１または２以上の測定報告に基づいて前記１または２以上の測定制御パラメータを調整し、
前記Ｉｕｂインタフェースは、調整した前記１または２以上の測定制御パラメータ命令を前記無線基地局（２８）へ送り、
初期決定した前記１または２以上の測定制御パラメータおよび調整した前記１または２以上の測定制御パラメータの両方が、前記無線基地局（２８）からの報告要求を特定し、前記無線基地局（２８）の容量を超えずに前記報告要求を満たすようなものであることを特徴とする無線ネットワーク制御装置（２６）。
【請求項１２】
前記Ｉｕｂインタフェースは、前記無線基地局（２８）から前記１または２以上の測定報告を繰り返し受け取り、調整した前記１または２以上の測定制御パラメータを前記無線基地局（２８）へ繰り返し送り、
Ｉｕｂ測定制御装置（４０）は、前記無線基地局（２８）からの前記１または２以上の測定報告に基づいて前記１または２以上の測定制御パラメータを繰り返し調整すること
を特徴とする、請求項１１に記載の無線ネットワーク制御装置（２６）。
【請求項１３】
前記測定容量報告は、１または２以上の共通測定か、１または２以上の専用測定か、または両方を含み、
前記共通測定は、前記無線基地局（２８）の共通資源における測定であり、
前記専用測定は、前記無線基地局（２８）の専用資源における測定であること
を特徴とする、請求項１１に記載の無線ネットワーク制御装置（２６）。
【請求項１４】
前記共通測定は、ＦＡＣＨおよびＰＣＣＰＣＨを含む１または２以上の共通チャネルに対する送信電力測定を含み、
前記専用測定は、専用チャネルのＳＩＲ測定およびＢＥＲ測定を１または２以上含むこと
を特徴とする、請求項１３に記載の無線ネットワーク制御装置（２６）。
【請求項１５】
前記Ｉｕｂ測定制御装置（４０）は、
前記１または２以上の測定報告に含まれる測定の変化を決定し、
前記測定の変化が予め設定された限界を超えているかどうか判定し、
前記変化が前記予め設定された限界を超えていると判定された場合に、前記測定に関する１または２以上の測定制御パラメータを調整し、前記測定の報告頻度を増加させ、
前記測定制御パラメータに対する前記調整が前記無線基地局（２８）の容量を超えるかどうか判定し、
前記測定制御パラメータを再調整し、再調整した前記測定制御パラメータが前記無線基地局（２８）の容量を超えないようにすることと
を特徴とする、請求項１１に記載の無線ネットワーク制御装置（２６）。
【請求項１６】
前記測定は、ユーザ装置ノード（３０）と前記無線基地局（２８）との間の通信に用いる無線周波数（ＲＦ）チャネルの状態を含むことを特徴とする、請求項１５に記載の無線ネットワーク制御装置（２６）。
【請求項１７】
前記Ｉｕｂ測定制御装置（４０）は、前記測定に関係ない測定制御パラメータを再調整することを特徴とする、請求項１５に記載の無線ネットワーク制御装置（２６）。
【請求項１８】
前記Ｉｕｂ測定制御装置（４０）は、前記１または２以上の測定制御パラメータを初期決定する際、および前記無線基地局（２８）の前記１または２以上の測定制御パラメータを調整する際に、前記無線ネットワーク制御装置（２６）の容量を超えないように、前記無線ネットワーク制御装置（２６）の容量を考慮することを特徴とする、請求項１１に記載の無線ネットワーク制御装置（２６）。
【請求項１９】
前記無線基地局（２８）は複数の無線基地局（２８）のうちの１つであり、
前記Ｉｕｂインタフェースは、各無線基地局（２８）とインタフェースし、
前記Ｉｕｂ測定制御装置（４０）は、各無線基地局（２８）に対する測定制御パラメータの決定および調整を行うこと
を特徴とする、請求項１１に記載の無線ネットワーク制御装置（２６）。
【請求項２０】
前記Ｉｕｂ測定制御装置（４０）は、前記１または２以上の測定制御パラメータを初期決定する際、および前記複数の無線基地局（２８）の前記１または２以上の測定制御パラメータを調整する際に、前記無線ネットワーク制御装置（２６）の容量を超えないように、前記無線ネットワーク制御装置（２６）の容量を考慮することを特徴とする、請求項１９に記載の無線ネットワーク制御装置（２６）。
【請求項２１】
各々が、無線ネットワーク制御装置（２６）へ測定容量報告を送り、前記無線ネットワーク制御装置（２６）から受け取った１または２以上の測定制御パラメータを前記無線ネットワーク制御装置（２６）へ送る１または２以上の無線基地局（２８）と、
前記無線基地局（２８）から前記測定容量報告を受け取り、
前記測定容量報告に基づいて前記無線基地局（２８）の前記１または２以上の測定制御パラメータを初期決定し、
初期決定した前記１または２以上の測定制御パラメータを前記無線基地局へ送り、
前記無線基地局（２８）から１または２以上の測定報告を受け取り、
前記１または２以上の測定報告に基づいて前記１または２以上の測定制御パラメータを調整し、
調整した前記１または２以上の測定制御パラメータ命令を前記無線基地局（２８）へ送る
前記無線ネットワーク制御装置（２６）と
を備える電気通信システム（１０）であって、
各無線基地局（２８）からの前記測定容量報告は、１または２以上の共通測定か、１または２以上の専用測定か、または両方を含み、前記共通測定は前記無線基地局（２８）の共通資源における測定であり、前記専用測定は前記無線基地局（２８）の専用資源における測定であることを特徴とし、
各無線基地局（２８）に対して、初期決定した前記１または２以上の測定制御パラメータおよび調整した前記１または２以上の測定制御パラメータの両方が、前記無線基地局（２８）からの報告要求を特定し、前記無線基地局（２８）の容量を超えずに前記報告要求を満たすようなものであることを特徴とする電気通信システム（１０）。
【請求項２２】
前記無線ネットワーク制御装置（２６）は、各無線基地局（２８）に対して、前記無線基地局（２８）から前記１または２以上の測定報告を繰り返し受け取り、前記無線基地局（２８）からの前記１または２以上の測定報告に基づいて前記１または２以上の測定制御パラメータを繰り返し調整し、調整した前記１または２以上の測定制御パラメータを前記無線基地局（２８）へ繰り返し送ることを特徴とする、請求項２１に記載の電気通信システム（１０）。
【請求項２３】
前記無線ネットワーク制御装置（２６）は、各無線基地局に対して、
前記１または２以上の測定報告に含まれる測定の変化を決定することと、
前記測定の変化が予め設定された限界を超えているかどうか判定することと、
前記変化が前記予め設定された限界を超えていると判定された場合に、前記測定に関する１または２以上の測定制御パラメータを調整し、前記測定の報告頻度を増加させることと、
前記測定制御パラメータに対する調整が前記ＲＢＳ（２８）の前記容量を超えるかどうか判定することと、
前記測定制御パラメータを再調整し、再調整した前記測定制御パラメータが前記ＲＢＳ（２８）の容量を超えないようにすることと、
を特徴とする、請求項２１に記載の電気通信システム（１０）。
【請求項２４】
前記測定は、ユーザ装置ノード（３０）と前記無線基地局（２８）との間の通信に用いる無線周波数（ＲＦ）チャネルの状態を含むことを特徴とする、請求項２３に記載の電気通信システム（１０）。
【請求項２５】
前記無線ネットワーク制御装置（２６）は、前記１または２以上の測定制御パラメータを初期決定する際、および前記１または２以上の無線基地局（２８）の前記１または２以上の測定制御パラメータを調整する際に、前記無線ネットワーク制御装置（２６）の容量を超えないように、前記無線ネットワーク制御装置（２６）の容量を考慮することを特徴とする、請求項１１に記載の無線ネットワーク制御装置（２６）。
【発明の詳細な説明】
【技術分野】
【０００１】
関連出願
本出願は、２００７年９月１１日出願の米国特許仮出願第６０／９７１４８４号明細書、題名「ＭＥＡＳＵＲＥＭＥＮＴ  ＣＯＮＴＲＯＬ  ＢＡＳＥＤ  ＯＮ  ＲＢＳ  ＰＲＯＣＥＳＳＩＮＧ  ＣＡＰＡＢＩＬＩＴＹ（ＲＢＳ処理能力に基づく測定制御）」、および、２００７年９月２５日出願の特許仮出願第６０／９７５０４４号明細書、題名同様「ＭＥＡＳＵＲＥＭＥＮＴ  ＣＯＮＴＲＯＬ  ＢＡＳＥＤ  ＯＮ  ＲＢＳ  ＰＲＯＣＥＳＳＩＮＧ  ＣＡＰＡＢＩＬＩＴＹ」に関しており、ここで参照することにより、上記両明細書については全て本明細書に組み入れたものとする。
【０００２】
本開示の技術分野は、広く電気通信に関し、具体的には無線アクセスネットワーク（ＲＡＮ：ｒａｄｉｏ  ａｃｃｅｓｓ  ｎｅｔｗｏｒｋ）のオペレーションに関し、さらに具体的には無線アクセスネットワークのノード間測定の報告に関する。
【背景技術】
【０００３】
従来のセルラ無線システムにおいては、無線ユーザ装置（ＵＥ：ｕｓｅｒ  ｅｑｕｉｐｍｅｎｔ）が無線アクセスネットワークを介して１または２以上のコアネットワークと通信を行う。無線ユーザ装置（あるいは単にユーザ装置）は、携帯電話（「セルラ」電話）や移動終端を有するノート型パーソナルコンピュータなどの移動局、移動端末、または無線端末／局とすることが可能であり、したがって、例えば、無線アクセスネットワークと音声通信および／またはデータ通信を行うポータブル型移動装置、ポケット型移動装置、ハンドヘルド型移動装置、コンピュータ内臓型移動装置、または車両搭載型移動装置とすることが可能である。あるいは、無線ユーザ装置は、例えば無線ローカルループの一部の固定セルラ装置／端末などのような固定無線装置とすることも可能である。
【０００４】
無線アクセスネットワークは、セルエリアに分割された地理エリアをカバーするものであり、各セルエリアは、無線基地局（ＲＢＳ：ｒａｄｉｏ  ｂａｓｅ  ｓｔａｔｉｏｎ）（例えば基地局、ＮｏｄｅＢ、またはＮｏｄｅ＿Ｂともいう）によるサービスを受ける。セルとは、無線基地局サイトにおける無線基地局装置によって無線カバーエリアが提供される地理エリアである。各セルは固定識別子で識別するのだが、固定識別子とはセルにおいてシステム情報としてブロードキャストされるものである。無線基地局は、エアインタフェースによってユーザ装置と無線基地局の範囲内で通信を行う。従来、無線アクセスネットワークでは、いくつかの無線基地局が無線ネットワーク制御装置（ＲＮＣ：ｒａｄｉｏ  ｎｅｔｗｏｒｋ  ｃｏｎｔｒｏｌｌｅｒ）に（地上通信線またはマイクロ波で）接続されている。無線ネットワーク制御装置は、時に基地局制御装置（ＢＳＣ：ｂａｓｅ  ｓｔａｔｉｏｎ  ｃｏｎｔｒｏｌｌｅｒ）ともいうが、無線ネットワーク制御装置に接続した無線基地局の様々な動作を監督し、調整するものである。従来、無線ネットワーク制御装置は、１または２以上のコアネットワークに接続される。コアネットワークは、２つのサービスドメインを有しており、無線ネットワーク制御装置は、これらドメインの両方に対するインタフェースを有している。
【０００５】
無線アクセスネットワークの一例が、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ））地上波無線アクセスネットワーク（ＵＴＲＡＮ：Ｔｅｒｒｅｓｔｒｉａｌ  Ｒａｄｉｏ  Ａｃｃｅｓｓ  Ｎｅｔｗｏｒｋ）である。ＵＭＴＳは、いくつかの点で、ヨーロッパにおいて開発された移動通信用グローバルシステム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）という無線アクセス技術上で構築する第３世代システムである。ＵＴＲＡＮとは、本質的には、広帯域符号分割多元アクセス（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）をユーザ装置に提供する無線アクセスネットワークである。第３世代パートナシッププロジェクト（３ＧＰＰ）とは、ＵＴＲＡＮやＧＳＭに基づく無線アクセスネットワーク技術をさらに発展させるために始まったものである。
【０００６】
ＵＴＲＡＮに関するインタフェースがいくつかある。無線ネットワーク制御装置とコアネットワークとの間のインタフェースは「Ｉｕ」インタフェースという。無線ネットワーク制御装置とその無線基地局との間のインタフェースは「Ｉｕｂ」インタフェースという。ユーザ装置と無線基地局との間のインタフェースは「エアインタフェース」、「無線インタフェース」、または「Ｕｕインタフェース」という。ある例では、接続には、ソースつまりサービング無線ネットワーク制御装置（ＳＲＮＣ：Ｓｅｒｖｉｎｇ  ｒａｄｉｏ  ｎｅｔｗｏｒｋ  ｃｏｎｔｒｏｌｌｅｒ）およびターゲットつまりドリフト無線ネットワーク制御装置（ＤＲＮＣ：ｄｒｉｆｔ  ｒａｄｉｏ  ｎｅｔｗｏｒｋ  ｃｏｎｔｒｏｌｌｅｒ）が含まれており、ＳＲＮＣが当該接続を制御しているのだが、当該接続の１または２以上のダイバーシチレッグはＤＲＮＣによって処理されている。ＳＲＮＣとＤＲＮＣとの間の制御信号およびデータ信号の伝送にＲＮＣ間伝送リンクを用いることが可能であり、直接リンクまたは論理リンクのどちらかとすることができる。無線ネットワーク制御装置間（例えばＳＲＮＣとＤＲＮＣとの間）のインタフェースは「Ｉｕｒ」インタフェースという。
【０００７】
無線ネットワーク制御装置はＵＴＲＡＮを制御する。無線ネットワーク制御装置は、その制御機能を果たし、ＵＴＲＡＮの資源を管理する。無線ネットワーク制御装置が管理する上記資源としては、（特に）無線基地局が送出したダウンリンク（ＤＬ：ｄｏｗｎｌｉｎｋ）電力、無線基地局が認識したアップリンク（ＵＬ：ｕｐｌｉｎｋ）インタフェース、無線基地局におけるハードウェアが挙げられる。
【０００８】
ある３ＧＰＰシステム（例えばＷＣＤＭＡまたはＴＤ‐ＳＣＤＭＡ）では、無線ネットワーク制御装置が無線基地局に要求して、ある測定を行わせ、Ｉｕｂインタフェースを通して無線基地局に測定結果を報告させるであろう。無線ネットワーク制御装置は、おそらくは、報告処理を開始して制御することであろう。したがって、無線ネットワーク制御装置は、測定の種類や報告期間など、かかる情報／パラメータを制御する。無線基地局から受け取った測定結果に基づいて、無線ネットワーク制御装置は、ハンドオーバ評価、資源割当、その他の機能をより良く実行することが可能である。
【０００９】
測定には潜在的に多くの種類があり、報告期間も潜在的に大きな幅がある。通常、無線ネットワーク制御装置においては、評価精度を改善し、時間内に応答するため、可能な限り頻繁に測定結果を受け取ることが効果的である。しかしながら、無線基地局の種類が異なれば、特にベンダが異なれば、Ｉｕｂ信号送信の処理電力も異なり、したがって測定報告能力も異なる。そのため、無線ネットワーク制御装置が測定制御パラメータについて不適な設定を行うと、ある特定の無線基地局に対して、無線ネットワーク制御装置への報告要求のオーバロードを引き起こす可能性がある。無線基地局が無線ネットワーク制御装置の測定報告要求で埋没されると、無線ネットワーク制御装置と無線基地局との間の（相互運用性試験（ＩＯＴ：ｉｎｔｅｒｏｐｅｒａｂｉｌｉｔｙ  ｔｅｓｔ）などの）動作が非常に困難となろう。
【００１０】
さらに、無線ネットワーク制御装置自体の内部構造および／または目下の処理負荷を考慮すると、無線ネットワーク制御装置は、例えば測定報告を無線基地局からいくつ効率良く受け取ることが可能であるかなどのように、測定をいくつ処理可能であるかについて、無線ネットワーク制御装置自体の限界を有するものとすることが可能である。このように、無線ネットワーク制御装置が測定制御パラメータについて不適な設定を行うと、無線ネットワーク制御装置自体に対して、無線ネットワーク制御装置への報告を無線基地局に課す報告要求によるオーバロードを引き起こす可能性がある。
【発明の概要】
【００１１】
測定報告を制御する方法の一例を提供する。当該方法では、電気通信システムの無線基地局（２８）からの測定容量報告を受信する。測定容量報告に基づいて、無線基地局の１または２以上の測定制御パラメータを初期決定し、無線基地局へ送る。無線基地局からの１または２以上の測定報告を受け取る。１または２以上の測定報告に基づいて、１または２以上の測定制御パラメータを調整し、無線基地局へ送る。１または２以上の測定制御パラメータは、無線基地局からの報告要求を特定する。報告要求は、報告要求を満たしつつも無線基地局の容量を超えないようなものである。また、無線基地局からの更なる測定報告に基づいて、測定制御パラメータを連続的に調整し、無線基地局へ送る。
【００１２】
測定容量報告は、１または２以上の共通測定か、１または２以上の専用測定か、またはその両方を含むものである。共通測定とは、無線基地局の共通資源における測定である。共通測定の一例が干渉測定である。専用測定とは、受信電力測定など、無線基地局の専用資源における測定である。
【００１３】
測定制御パラメータを調整する動作例を開示する。当該動作では、測定の変化を決定する。上記測定は、無線基地局からの測定報告に含まれている。測定の変化が予め設定された限界を超えているかどうか判定する。超えている場合には、測定に関する測定制御パラメータを調整し、測定の報告頻度を増加させる。当該調整が無線基地局の容量を超える場合は、測定制御パラメータを再調整し、再調整した測定制御パラメータが無線基地局の容量を超えないようにする。再調整中、測定に関係ない測定制御パラメータを調整する。測定の一例が、ユーザ装置と無線基地局との間の通信に用いる無線周波数（ＲＦ）チャネルの状態である。
【００１４】
無線基地局の容量に加えて、無線基地局の動作を監督する無線ネットワーク制御装置の容量を考慮して、無線基地局の１または２以上の測定制御パラメータの初期決定および調整において、無線ネットワーク制御装置の容量を超えないようにする。
【００１５】
無線基地局が複数あるとしてもよく、各無線基地局に対して、測定報告制御する方法を行うこともできる。さらに、無線基地局が複数ある場合には無線ネットワーク制御装置の容量も考慮する。
【００１６】
電気通信システムの無線ネットワーク制御装置例を開示する。無線ネットワーク制御装置は、ＩｕｂインタフェースとＩｕｂ測定制御装置を備える。Ｉｕｂインタフェースは、電気通信システムの無線基地局から測定容量報告を受け取る構成を有し、Ｉｕｂ測定制御装置は、測定容量報告に基づいて無線基地局の１または２以上の測定制御パラメータを初期決定する構成を有する。Ｉｕｂインタフェースは、初期決定した１または２以上の測定制御パラメータを無線基地局へ送り、無線基地局から１または２以上の測定報告を受け取る。Ｉｕｂ測定制御装置は、無線基地局からの１または２以上の測定報告に基づいて１または２以上の測定制御パラメータを調整する。Ｉｕｂインタフェースは、調整した１または２以上の測定制御パラメータ命令を無線基地局へ送る。
【００１７】
１または２以上の測定制御パラメータは無線基地局からの報告要求を特定する。報告要求は、報告要求を満たしつつも無線基地局の容量を超えないようなものである。また、無線基地局からの更なる測定報告に基づいて、測定制御パラメータを連続的に調整し、無線基地局へ送る。
【００１８】
ＩｕｂインタフェースとＩｕｂ測定制御装置とが協力し、無線基地局から１または２以上の測定報告を繰り返し受け取り、無線基地局からの１または２以上の測定報告に基づいて１または２以上の測定制御パラメータを調整し、調整した１または２以上の測定制御パラメータを無線基地局へ送る。
【００１９】
Ｉｕｂ測定制御装置の実施形態例が、以下のように測定制御パラメータを調整する。１または２以上の測定報告に含まれている測定の変化を決定する。測定変化が予め設定された限界を超えている場合、測定に関する１または２以上の測定制御パラメータを調整し、測定の報告頻度を増加させる。当該調整が無線基地局の容量を超える場合には、測定制御パラメータを再調整し、再調整した測定制御パラメータが無線基地局の容量を超えないようにする。再調整では、測定に関係ない測定制御パラメータを調整する。
【００２０】
Ｉｕｂ測定制御装置が無線基地局の１または２以上の測定制御パラメータの初期決定および調整を行う際に、無線ネットワーク制御装置の容量を超えないように、無線ネットワーク制御装置の容量を考慮する。無線基地局を複数としてもよく、各無線基地局に対して、測定制御パラメータの決定および調整を行う。
【００２１】
電気通信システムの実施形態例を開示する。電気通信システムは、１または２以上の無線基地局と無線ネットワーク制御装置とを備える。各無線基地局は、無線ネットワーク制御装置へ測定容量報告を送る構成を有する。また、各無線基地局は、無線ネットワーク制御装置から受け取った１または２以上の測定制御パラメータに基づいて無線ネットワーク制御装置へ１または２以上の測定報告を送る構成も有する。各無線基地局に対して、無線ネットワーク制御装置は、無線基地局から測定容量報告を受け取り、測定容量報告に基づいて無線基地局の１または２以上の測定制御パラメータを初期決定し、初期決定した１または２以上の測定制御パラメータを基地局ノードへ送り、無線基地局から１または２以上の測定報告を受け取り、１または２以上の測定報告に基づいて１または２以上の測定制御パラメータを調整し、調整した１または２以上の測定制御パラメータ命令を基地局ノードへ送る構成を有する。
【００２２】
また、各無線基地局に対して、無線ネットワーク制御装置は、無線基地局から１または２以上の測定報告を繰り返し受け取り、無線基地局からの１または２以上の測定報告に基づいて１または２以上の測定制御パラメータを調整し、調整した１または２以上の測定制御パラメータを無線基地局へ送る構成も有する。
【００２３】
無線ネットワーク制御装置は、１または２以上の無線基地局の１または２以上の測定制御パラメータの初期決定および調整を行う際に、無線ネットワーク制御装置の容量を超えないように、無線ネットワーク制御装置自体の容量を考慮する。
【００２４】
添付図面に示す以下の本発明を実施するための形態から、本発明における上述およびその他の目的、特徴、効果が明らかとなろう。添付図面では、様々な図を通して、参照符号は同一の部分を参照するものである。図面は必ずしも寸法通りではなく、本発明の原理を説明するために強調してある。
【図面の簡単な説明】
【００２５】
【図１】図１は、電気通信システムの一実施形態を示す。
【図２】図２は、電気通信システムのノードからの測定報告を制御する方法の一実施形態を示す。
【図２Ａ】図２Ａは、無線基地局の測定制御パラメータを動的に調節する動作例を示す。
【図３】図３は、電気通信システムの別の実施形態を示す。
【図４】図４は、電気通信システムのノードからの測定報告を制御する方法の別の実施形態を示す。
【発明を実施するための形態】
【００２６】
以下の説明では、本発明の完全な理解を得るため、限定ではなく説明を目的として、ある特定のアーキテクチャ、インタフェース、技術など、具体的な詳細を記述する。しかしながら、当業者であれば、このような具体的な詳細からは逸脱する他の実施形態でも本発明を実施することが可能であることは明らかであろう。つまり、当業者であれば、本明細書に明示的な説明や図示がなくとも、本発明の原理を実施するものであって本発明の意図および範囲に含まれる様々な変更例を工夫することが可能であろう。
【００２７】
ある例では、本発明の説明を余計な詳細で不明瞭としないよう、周知の装置、回路、方法の詳細な説明を省略する。本発明の原理、観点、実施形態、および本発明の具体例を述べた本明細書における記載は、本発明の構造的均等物も機能的均等物も含んでいるという意図がある。加えて、かかる均等物は現時点で周知の均等物も将来開発される均等物も含んでいるという意図もある。
【００２８】
このように、例えば、ここでのブロック図は当該技術の原理を実施する例示的回路網の概念図を表しているものとすることができるということが、当業者であれば明らかであろう。同様に、いかなるフローチャート、状態遷移図、疑似符号などについても、コンピュータや処理装置の明示がなくとも、コンピュータ読出可能媒体で実体的に表すことも可能でありコンピュータや処理装置で実体的に実行することも可能な様々な処理を表しているものである。
【００２９】
「処理装置（ｐｒｏｃｅｓｓｏｒｓ）」または「制御装置（ｃｏｎｔｒｏｌｌｅｒｓ）」と呼んだり記述したりする機能ブロックを備えた様々な構成要素の機能は、専用ハードウェアを用いて提供可能であり、適当なソフトウェアと関連したソフトウェア実行可能ハードウェアを用いても提供可能である。処理装置が機能を提供する場合には、単一の専用処理装置としたり、単一の共有処理装置としたり、複数の個別処理装置としてその内いくつかを共有型または分散型としたりすることが可能である。さらに、「処理装置」または「制御装置」という言葉を明示的に使用した場合、ソフトウェア実行可能ハードウェアを排他的に示すと解釈されるべきものではなく、デジタル信号処理装置（ＤＳＰ：ｄｉｇｉｔａｌ  ｓｉｇｎａｌ  ｐｒｏｃｅｓｓｏｒ）ハードウェア、ソフトウェアを格納する読出専用メモリ（ＲＯＭ：ｒｅａｄ  ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、不揮発性ストレージを含むものとすることができるが、上記に限定されない。
【００３０】
図１に示す電気通信システム１０において、非限定的、例示的に本発明を説明する。電気通信システム１０は１または２以上のコアネットワーク２０に接続している。電気通信システム１０は無線アクセスネットワーク（ＲＡＮ）２４を備える。ＲＡＮ２４は、１または２以上の無線ネットワーク制御装置（ＲＮＣ）２６と、１または２以上の無線基地局（ＲＢＳ）２８とを備える。
【００３１】
図１に示すＵＥ３０のようなユーザ装置（ＵＥ）は、無線あるいはエアインタフェース３２によって１または２以上のＲＢＳ２８と通信を行う。ＵＥ３０は、携帯電話（「セルラ」電話）や移動終端を有するノート型パーソナルコンピュータなどの移動局とすることが可能であり、したがって、例えば、無線アクセスネットワークと音声通信および／またはデータ通信を行うポータブル型移動装置、ポケット型移動装置、ハンドヘルド型移動装置、コンピュータ内臓型移動装置、または車両搭載型移動装置とすることが可能である。
【００３２】
図１に示すＲＡＮ２４は、非限定的な例として、ＵＭＴＳ地上波無線アクセスネットワーク（ＵＴＲＡＮ）とすることができる。ＵＴＲＡＮでは、無線アクセスが広帯域符号分割多元アクセス（ＷＣＤＭＡ）に基づき、ＣＤＭＡ拡散符号を用いて個別の無線チャネルを割り当てることが好ましい。他のアクセス方法を用いてもよい。
【００３３】
ＵＴＲＡＮの例であることを考慮すると、ＲＮＣ２６およびＲＢＳ２８は、それぞれ無線ネットワーク制御装置および無線基地局と呼ぶ。無線ネットワーク制御装置および無線基地局という言葉には、同様の機能を有したもので、他の種類の無線アクセスネットワークに対するものであるノードも含むと考えられる。他の種類の無線アクセスネットワークを含む他の種類の電気通信システムの非排他的なリストには以下が挙げられる。移動通信用グローバルシステム（ＧＳＭ）。先進移動電話サービス（ＡＭＰＳ：Ａｄｖａｎｃｅ  Ｍｏｂｉｌｅ  Ｐｈｏｎｅ  Ｓｅｒｖｉｃｅ）システム。狭帯域ＡＭＰＳシステム（ＮＡＭＰＳ：Ｎａｒｒｏｗｂａｎｄ  ＡＭＰＳ）。トータルアクセス通信システム（ＴＡＣＳ：Ｔｏｔａｌ  Ａｃｃｅｓｓ  Ｃｏｍｍｕｎｉｃａｔｉｏｎｓ  Ｓｙｓｔｅｍ）。パーソナルデジタルセルラ（ＰＤＣ：Ｐｅｒｓｏｎａｌ  Ｄｉｇｉｔａｌ  Ｃｅｌｌｕｌａｒ）システム。米国デジタルセルラ（ＵＳＤＣ：Ｕｎｉｔｅｄ  Ｓｔａｔｅｓ  Ｄｉｇｉｔａｌ  Ｃｅｌｌｕｌａｒ）システム。ＥＩＡ／ＴＩＡＩＳ‐９５で説明された符号分割多元アクセス（ＣＤＭＡ）システム。
【００３４】
ＲＡＮ２４は、ＵＴＲＡＮ用Ｉｕインタフェースなどのインタフェースによってコアネットワーク２０に接続される。図１のコアネットワーク２０は、特に、モバイルスイッチングセンタ（ＭＳＣ：Ｍｏｂｉｌｅ  Ｓｗｉｔｃｈｉｎｇ  Ｃｅｎｔｅｒ）ノード、ゲートウェイＭＳＣノード（ＧＭＳＣ：Ｇａｔｅｗａｙ  ＭＳＣ）、ゲートウェイ汎用パケット無線サービス（ＧＰＲＳ：Ｇａｔｅｗａｙ  Ｇｅｎｅｒａｌ  Ｐａｃｋｅｔ  Ｒａｄｉｏ  Ｓｅｒｖｉｃｅ）サポートノード（ＧＧＳＮ：ＧＰＲＳ  ｓｕｐｐｏｒｔ  ｎｏｄｅ）、サービングＧＰＲＳサポートノード（ＳＧＳＮ：Ｓｅｒｖｉｎｇ  ＧＰＲＳ  Ｓｕｐｐｏｒｔ  ｎｏｄｅ）を含むものとすることができる。回路交換（ＣＳ：ｃｉｒｃｕｉｔ  ｓｗｉｔｃｈｅｄ）ネットワークまたはパケット交換（ＰＳ：ｐａｃｋｅｔ  ｓｗｉｔｃｈｅｄ）ネットワークがコアネットワーク２０に接続するものとすることができる。
【００３５】
説明を簡略化するため、図１のＲＡＮ２４には、１つのＲＮＣ２６しか図示していない。しかしながら、複数のＲＮＣ２６を提供し、各ＲＮＣ２６を１または２以上のＲＢＳ２８に接続するものとしてもよいと考えられる。各ＲＮＣ２６は、いくつのＲＢＳ２８に対してサービスを提供するものとすることも可能である。さらに、各ＲＮＣ２６がサービスを提供するＲＢＳ２８の数をそれぞれ異なるものとすることも可能である。
【００３６】
各ＲＮＣ２６は、ＲＡＮ２４における１または２以上の他のＲＮＣ２６にＩｕｒインタフェースによって接続するものとすることができる。ＲＮＣ２６ノードは、ＩｕｂインタフェースによってＲＢＳ２８と通信を行う。ＲＢＳ２８は、時にｎｏｄｅＢまたはＢ‐ｎｏｄｅともいう。各無線インタフェース３２、Ｉｕインタフェース、Ｉｕｂインタフェースは、図１において一点鎖線で図示している。
【００３７】
図１に示すように、ＲＮＣ２６は、特に、Ｉｕｂ測定制御装置４０を備えたものである。Ｉｕｂ測定制御装置４０は、以下で説明する機能のために排他的に用いる処理装置とすることができる。Ｉｕｂ測定制御装置４０は、かかる機能やその他従来のＲＮＣの機能と、その処理電力を共有する処理装置とすることもできる。従来のＲＮＣの他の構成要素（図示せず）の非排他的なリストには、ＲＢＳに対するインタフェース、他のＲＮＣに対するインタフェース、１または２以上のコアネットワークノードに対するインタフェース、ダイバーシチ処理部（オペレーションの組合せおよび分割を行う）、トラフィック制御またはトラフィックアドミッション処理装置などが挙げられる。
【００３８】
図１は代表的なＲＢＳ２８を示しており、その他の構成要素に加えて、測定実行部５０と測定報告部５２とを備えるものとして示している。測定実行部５０は、受信電力など、ＲＮＣ２６にとって関心のある測定をいくつでも実行することが可能である。従来、ＲＢＳ２８は、ダウンリンク（ＲＢＳからＵＥへ）およびアップリンク（ＵＥからＲＢＳへ）における無線送信を処理する送受信部および対応のチャネルなど、他の構成部を備える。
【００３９】
図２は、ＲＢＳ２８の測定報告を制御するＲＮＣ２６およびＲＢＳ２８関連の動作例、ステップ例、またはイベント例を示している。この実施形態例では、ＲＮＣ２６Ｉｕｂ測定制御装置４０と、ＲＢＳ２８の測定実行部５０および測定報告部５２とが、図２に示す動作例、ステップ例、またはイベント例を実行する。
【００４０】
動作１において、ＲＢＳ２８は、例えばセルセットアップ中に、ＲＮＣ２６に測定容量報告を提供する。測定容量報告は、ＲＢＳ２８における、様々な測定を行う容量と、行った測定を報告する容量とをＲＮＣ２６に通知するものである。ＲＢＳ２８の測定報告部５２は、ＲＮＣ２６に測定容量報告を送る。
【００４１】
報告容量報告は、毎秒１０００報告（１０００報告／秒）などのように、ＲＢＳ２８の報告頻度能を含むものとすることもできる。また、報告容量報告は、実行および報告が可能な測定の種類を含むものとすることもできる。実行および報告が可能な測定としては、ＦＡＣＨやＰＣＣＰＣＨなどの共通のチャネルにおける干渉測定や送信電力測定、その他の種類の共通資源情報など、共通測定が挙げられる。
【００４２】
測定の種類は、専用測定を含むものとすることもできる。専用測定は、ＵＥ３０の受信電力などＵＥ３０に関するものとすることもできるし、他の種類の特定資源専用測定とすることも可能である。専用測定は、ＲＢＳ２８がサービスを提供中のＵＥ３０の数（アクティブユーザの数）、ＵＥ３０との通信に使用中の無線周波数（ＲＦ：ｒａｄｉｏ  ｆｒｅｑｕｅｎｃｙ）伝播チャネルの状態、当該ＵＥ（３０）の信号対干渉比（ＳＩＲ：Ｓｉｇｎａｌ  ｔｏ  Ｉｎｔｅｒｆｅｒｅｎｃｅ  Ｒａｔｉｏ）、専用チャネルのビットエラーレート（ＢＥＲ：Ｂｉｔ  Ｅｒｒｏｒ  Ｒａｔｅｓ）測定を特に含むものとすることもできる。
【００４３】
動作２−２において、ＲＮＣ２６のＩｕｂ測定制御装置４０は、最初に、測定容量報告で報告されたＲＢＳ２８の測定容量に基づいて、ＲＢＳ２８に対する１または２以上の測定制御パラメータを決定する。測定制御パラメータは、何の測定がＲＢＳ２８によってＲＮＣ２６へ報告されるのか、また、どのくらいの頻度で報告を行うべきなのかを特定するものである。つまり、測定制御パラメータはＲＢＳ２８の報告要求を特定するものなのである。
【００４４】
一例として、測定制御パラメータが特定することには、ＲＢＳ２８が経験したノイズレベルをＲＢＳ２８は２０回／秒で報告すべきであること、各ＵＥ３０のＲＦ伝播チャネルの状態をＲＢＳ２８は３０回／秒で報告すべきであること、ＵＥ３００のハンドオフをイベントが発生するとＲＢＳ２８は報告すべきであることなどがある。ＲＢＳ２８からの測定容量報告は、ＲＢＳ２８の容量を超えないように、測定制御パラメータの初期決定において考慮される。つまり、ＲＢＳ２８は、測定制御パラメータの報告要求を満たすほどオーバロードされることはないということである。
【００４５】
測定制御パラメータは測定制御パラメータ命令においてキャプチャされるものとすることが可能であり、測定制御パラメータ命令は、例えば測定期間などを含むＲＢＳ２８への測定要求メッセージによって、動作２−３においてＲＮＣ２６からＲＢＳ２８へ送るものとすることが可能である。
【００４６】
図２の動作２−４において、ＲＮＣ２６、具体的にはＩｕｂ測定制御装置４０が、初期測定制御パラメータにしたがってＲＢＳ２８から（例えば測定報告部５２から）１または２以上の測定報告を受け取る。適宜、ＲＮＣ２６が、測定報告が測定制御パラメータにしたがっているかどうか検証し、したがっていない場合には是正動作を行うものとすることも可能である。
【００４７】
動作２−５に表すように、Ｉｕｂ測定制御装置４０は、ＲＢＳ２８からの測定報告に基づいて、ＲＢＳ２８に対する測定制御パラメータを動的に調整する。調整した測定制御パラメータは、動作２−６において調整測定制御パラメータ命令としてＲＢＳ２８へ送信される。再び、測定容量報告が、調整測定制御パラメータを反映する報告要求を満たしつつ、ＲＢＳ２８の容量を超えないように、測定制御パラメータの調整において考慮される。
【００４８】
動作２−５において行う動的調整の一例を図２Ａに示す。動作２−５−１において、ＲＮＣ２６が測定の変化を決定する。測定は、ＲＢＳ２８からの測定報告に含まれている。測定の一例が、アクティブユーザ（第１ＵＥ３０）に対する無線周波数（ＲＦ）伝播チャネルの状態である。ＲＦ伝播チャネルとは、第１ＵＥ３０とＲＢＳ２８との間の通信に用いるチャネルである。
【００４９】
動作２−５−２において、予め設定された限界よりも測定の変化が大きいかどうか、ＲＮＣ２６が判定する。この例では、ユーザが自動車で急速に移動している場合など、通信チャネルが急速に変わっているかどうかを判定する。
【００５０】
予め設定された限界よりも測定の変化が大きい場合、動作２−５−３において（ＲＮＣ２６の）Ｉｕｂ測定制御装置４０が測定制御パラメータを調整し、より頻繁にＲＢＳ２８が測定の実行および報告を行うようにすることができる。この例では、第１ＵＥ３０に対する通信チャネルの状態に関する測定は、例えば１０回／秒から２０回／秒へなどのように、より頻繁に報告を行うものとすることができる。これにより、ハンドオーバ評価や動的チャネル割当評価の決定やその他の決定をタイミング良く行うことで、この特定のアクティブユーザに対するサービスをほどよいレベルに維持することが可能となる。
【００５１】
このように報告要求が増加すると、ＲＢＳ２８の容量についてオーバロードとなる場合がある。オーバロードを防ぐため、調整測定制御パラメータを反映した報告要求がＲＢＳ２８の容量を超えるかどうか、動作２−５−４においてＲＮＣが決定する。容量を超える場合、ＲＢＳ２８がオーバロードとならないように、動作２−５−５において測定制御パラメータに他の調整を行う。この例では、別のアクティブユーザ（第２ＵＥ３０）に対する報告頻度を減少させて補償するものとすることができる。それは、例えばユーザが歩いていたり静止していたりする場合など、第２ＵＥ３０）に対するＲＦ伝播チャネルが比較的緩やかに変化しているということがある。第２ＵＥ３０について、それほどパフォーマンスを犠牲にせずに報告の頻度を緩やかにすることが可能である。
【００５２】
上述のように、１または２以上のＵＥ３０の各々に対して測定制御パラメータを動的に調整することで、ＲＮＣ２６は、システムのパフォーマンスを最適化しつつ、ＲＢＳ２８に対するオーバロードを回避することが可能である。専用測定に加えて、１または２以上の共通測定の測定制御パラメータを調整することも可能である。例えば、干渉測定については、それほど変化がない場合は頻度を少なくすることができる。
【００５３】
図２の動作２−４、動作２−５、動作２−６を何度も反復し、システムのパフォーマンスを連続的に調整することも可能である。また、図２では、（動作２−５における）測定制御パラメータの調整前の（動作２−４における）測定報告の数をｋと示している。数ｋについては、動作２−４、動作２−５、動作２−６の１反復から別反復まで可変と考えられる。
【００５４】
上述の例では、測定は通信チャネルの状態に関するものであり、予め設定された限界は、「ｎ」をある数として、ｎデシベル／秒で表すことができる。無線基地局２８が経験したノイズレベルなど、他の測定があってもよい。各測定について、予め設定された限界をあつらえものとすることができると考えられる。また、各測定に対して予め設定された限界については、必要に応じて個別に調整できると考えられる。
【００５５】
図３は、本技術を効果的に利用可能な電気通信システムの別の実施形態を示している。この実施形態は図１の実施形態と同様のものである。しかしながら追加として、ＲＮＣ２６は、ＲＮＣ負荷／容量監視部７０も備えている。ＲＮＣ負荷／容量監視部７０は、ＲＮＣ２６自体における負荷を測定するものとすることが可能であり、ＲＮＣ２６の処理能力を認識するものでもある。
【００５６】
ＲＮＣ負荷／容量監視部７０がＩｕｂ測定制御装置４０と通信を行うことで、ＲＮＣ２６は、ＲＢＳ２８へ送る測定制御パラメータを調整し、ＲＢＳ２８の能力だけではなくＲＮＣ２６自体の能力も考慮に入れることができる。
【００５７】
図４は、図３の無線ネットワーク制御装置を意識した実施形態に関した、ＲＢＳ２８の測定報告を制御するＲＮＣ２６およびＲＢＳ２８関連の動作例、ステップ例、イベント例を示している。ＲＢＳ２８から見ると、図４に示す動作は図２に示す動作と同様のものである。つまり、ＲＢＳ２８は、図２について説明したのと同様にして、ＲＢＳ２８の測定容量を報告し（動作２−１）、所期測定制御パラメータを受け取り（動作２−３）、測定報告を提供し（動作２−４）、調整測定制御パラメータを受け取る（動作２−６）。
【００５８】
ＲＮＣ２６から見ても、動作は同様なものである。ＲＮＣ２６は、図２について説明したのと同様にして、ＲＢＳ２８の測定容量を受け取り（動作２−１）、初期測定制御パラメータについて決定および送信を行い（動作２−２および動作２−３）、測定報告を受け取り（動作２−４）、調整測定制御パラメータについて調整および送信を行う（動作２−５および動作２−６）。
【００５９】
しかしながら、ＲＢＳ２６およびＵＥ３０に関する要因に加えて、図４では、所期測定制御パラメータを決定する際（動作２−２）や、測定制御パラメータを調整する際（動作２−５）には、ＲＮＣ２６の容量／能力も考慮する。つまり、測定制御パラメータを動的に変えて、ＲＢＳ２８のオーバロードを回避しながら、ＲＮＣ２６のオーバロードも回避するのである。
【００６０】
効果としては、ＲＮＣ２６および／またはＲＢＳ２８を再設定する必要性が最小化されることである。別の効果としては、ベンダが異なるＲＮＣ２６とＲＢＳ２８との間の相互運用性試験（ＩＯＴ）にこのような技術が非常に有用であることである。この場合、処理能力を互いに認識していないため、オープンインタフェース、Ｉｕｂ、における上記能力を示すある特定のパラメータが非常に有益である。
【００６１】
このように、この技術によれば、ＲＢＳ２８からＲＮＣ２６へその報告能力を示すパラメータを導入することによって、ＲＮＣ２６は状況に応じて測定制御パラメータを調整することができる。Ｉｕｂ測定制御装置４０は、色々なＲＢＳ２８の能力に合ったアルゴリズムを含むものとすることができる。
【００６２】
上述の説明は多くの特性を含んだものであるが、本発明を限定するものとしてではなく、単に本発明の現時点において好ましい実施形態のいくつかを与えただけであると解釈すべきである。したがって、本発明の範囲は、当業者であれば明らかとなる他の実施形態を完全に含んでおり、それゆえ本発明の範囲は限定されていないということは明らかであろう。当業者にとって周知の上述の好ましい実施形態の構成要素における全ての構造的均等物および機能的均等物については、参照することによって本明細書に明確に組み入れ、本明細書が含んでいるものと意図する。さらに、装置や方法については、必ずしも本明細書で説明した全ての問題に取り組むものである必要はなく、当該技術が解決を図る必要もないということも、本明細書が含んでいるとする。さらに、本開示におけるエレメント、コンポーネント、方法ステップについては、公に供するものであるという意図はない。
【図１】
2011515873.tif 000003
【図２】
2011515873.tif 000004
【図２Ａ】
2011515873.tif 000005
【図３】
2011515873.tif 000006
【図４】
2011515873.tif 000007
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
測定報告を制御する方法であって、
電気通信システム（１０）の無線基地局（２８）から測定容量報告を受け取る（２−１）ことと、
前記測定容量報告に基づいて前記無線基地局（２８）の１または２以上の測定制御パラメータを初期決定する（２−２）ことと、
初期決定した前記１または２以上の測定制御パラメータを前記無線基地局（２８）へ送る（２−３）ことと、
前記無線基地局（２８）から１または２以上の測定報告を受け取る（２−４）ことと、
前記無線基地局（２８）からの前記１または２以上の測定報告に基づいて前記１または２以上の測定制御パラメータを調整する（２−５）ことと、
調整した前記１または２以上の測定制御パラメータ命令を前記無線基地局（２８）へ送る（２−６）ことと
を含み、
初期決定した前記１または２以上の測定制御パラメータおよび調整した前記１または２以上の測定制御パラメータの両方が、前記無線基地局（２８）からの報告要求を特定し、前記無線基地局（２８）の容量を超えずに前記報告要求を満たすようなものであることを特徴とする方法。
【請求項２】
前記無線基地局（２８）から前記１または２以上の測定報告を受け取る（２−４）動作、前記無線基地局（２８）からの前記１または２以上の測定報告に基づいて前記１または２以上の測定制御パラメータを調整する（２−５）動作、調整した前記１または２以上の測定制御パラメータを前記無線基地局（２８）へ送る（２−６）動作は反復されることを特徴とする、請求項１に記載の方法。
【請求項３】
前記測定容量報告は、１または２以上の共通測定か、１または２以上の専用測定か、または両方を含み、
前記共通測定は、前記無線基地局（２８）の共通資源における測定であり、
前記専用測定は、前記無線基地局（２８）の専用資源における測定であること
を特徴とする、請求項１に記載の方法。
【請求項４】
前記共通測定は、ＦＡＣＨおよびＰＣＣＰＣＨを含む１または２以上の共通チャネルに対する送信電力測定を含み、
前記専用測定は、専用チャネルのＳＩＲ測定およびＢＥＲ測定を１または２以上含むこと
を特徴とする、請求項３に記載の方法。
【請求項５】
前記１または２以上の測定制御パラメータを調整する（２−５）動作は、
前記１または２以上の測定報告に含まれる測定の変化を決定する（２−５−１）ことと、
前記測定の変化が予め設定された限界を超えているかどうか判定する（２−５−２）ことと、
前記変化が前記予め設定された限界を超えていると判定された場合に、前記測定に関する１または２以上の測定制御パラメータを調整し、前記測定の報告頻度を増加させる（２−５−３）ことと、
前記測定制御パラメータに対する前記調整が前記無線基地局（２８）の容量を超えるかどうか判定する（２−５−４）ことと、
前記測定制御パラメータを再調整し（２−５−５）、再調整した前記測定制御パラメータが前記無線基地局（２８）の容量を超えないようにすることと
を含むことを特徴とする、請求項１に記載の方法。
【請求項６】
前記測定は、ユーザ装置ノード（３０）と前記無線基地局（２８）との間の通信に用いる無線周波数（ＲＦ）チャネルの状態を含むことを特徴とする、請求項５に記載の方法。
【請求項７】
前記測定制御パラメータを再調整する（２−５−５）動作において、前記測定に関係ない測定制御パラメータが調整されることを特徴とする、請求項５に記載の方法。
【請求項８】
前記無線基地局（２８）の動作を監督する前記無線ネットワーク制御装置（２６）の容量は、前記１または２以上の測定制御パラメータを初期決定する（２−２）動作と、前記無線基地局（２８）の前記１または２以上の測定制御パラメータを調整する（２−５）動作とにおいて考慮され、前記１または２以上の測定制御パラメータを初期決定する（２−２）動作、および前記無線基地局（２８）の前記１または２以上の測定制御パラメータを調整する（２−５）動作は、前記無線ネットワーク制御装置（２６）の容量を超えないように行われることを特徴とする、請求項１に記載の方法。
【請求項９】
前記無線基地局（２８）は複数の無線基地局（２８）のうちの１つであり、
請求項１に記載の全動作は、前記複数の無線基地局（２８）の各々に対して行われること
を特徴とする、請求項１に記載の方法。
【請求項１０】
前記複数の無線基地局（２８）の動作を監督する前記無線ネットワーク制御装置（２６）の容量は、前記１または２以上の測定制御パラメータを初期決定する（２−２）動作と、前記無線基地局（２８）の前記１または２以上の測定制御パラメータを調整する（２−５）動作とにおいて考慮され、前記１または２以上の測定制御パラメータを初期決定する（２−２）動作、および前記無線基地局（２８）の前記１または２以上の測定制御パラメータを調整する（２−５）動作は、前記無線ネットワーク制御装置（２６）の容量を超えないように行われることを特徴とする、請求項９に記載の方法。
【請求項１１】
電気通信システム（１０）の無線ネットワーク制御装置（２６）であって、
前記電気通信システム（１０）の無線基地局（２８）から測定容量報告を受け取るＩｕｂインタフェースと、
前記測定容量報告に基づいて前記無線基地局（２８）の１または２以上の測定制御パラメータを初期決定するＩｕｂ測定制御装置（４０）と
を備え、
前記Ｉｕｂインタフェースは、初期決定した前記１または２以上の測定制御パラメータを前記無線基地局（２８）へ送り、前記無線基地局（２８）から１または２以上の測定報告を受け取り、
Ｉｕｂ測定制御装置（４０）は、前記無線基地局（２８）からの前記１または２以上の測定報告に基づいて前記１または２以上の測定制御パラメータを調整し、
前記Ｉｕｂインタフェースは、調整した前記１または２以上の測定制御パラメータ命令を前記無線基地局（２８）へ送り、
初期決定した前記１または２以上の測定制御パラメータおよび調整した前記１または２以上の測定制御パラメータの両方が、前記無線基地局（２８）からの報告要求を特定し、前記無線基地局（２８）の容量を超えずに前記報告要求を満たすようなものであることを特徴とする無線ネットワーク制御装置（２６）。
【請求項１２】
各々が、無線ネットワーク制御装置（２６）へ測定容量報告を送り、前記無線ネットワーク制御装置（２６）から受け取った１または２以上の測定制御パラメータを前記無線ネットワーク制御装置（２６）へ送る１または２以上の無線基地局（２８）と、
前記無線基地局（２８）から前記測定容量報告を受け取り、
前記測定容量報告に基づいて前記無線基地局（２８）の前記１または２以上の測定制御パラメータを初期決定し、
初期決定した前記１または２以上の測定制御パラメータを前記無線基地局へ送り、
前記無線基地局（２８）から１または２以上の測定報告を受け取り、
前記１または２以上の測定報告に基づいて前記１または２以上の測定制御パラメータを調整し、
調整した前記１または２以上の測定制御パラメータ命令を前記無線基地局（２８）へ送る
前記無線ネットワーク制御装置（２６）と
を備える電気通信システム（１０）であって、
各無線基地局（２８）からの前記測定容量報告は、１または２以上の共通測定か、１または２以上の専用測定か、または両方を含み、前記共通測定は前記無線基地局（２８）の共通資源における測定であり、前記専用測定は前記無線基地局（２８）の専用資源における測定であることを特徴とし、
各無線基地局（２８）に対して、初期決定した前記１または２以上の測定制御パラメータおよび調整した前記１または２以上の測定制御パラメータの両方が、前記無線基地局（２８）からの報告要求を特定し、前記無線基地局（２８）の容量を超えずに前記報告要求を満たすようなものであることを特徴とする電気通信システム（１０）。
【請求項１３】
前記無線ネットワーク制御装置（２６）は、各無線基地局（２８）に対して、前記無線基地局（２８）から前記１または２以上の測定報告を繰り返し受け取り、前記無線基地局（２８）からの前記１または２以上の測定報告に基づいて前記１または２以上の測定制御パラメータを繰り返し調整し、調整した前記１または２以上の測定制御パラメータを前記無線基地局（２８）へ繰り返し送ることを特徴とする、請求項１２に記載の電気通信システム（１０）。
【請求項１４】
前記無線ネットワーク制御装置（２６）は、各無線基地局に対して、
前記１または２以上の測定報告に含まれる測定の変化を決定することと、
前記測定の変化が予め設定された限界を超えているかどうか判定することと、
前記変化が前記予め設定された限界を超えていると判定された場合に、前記測定に関する１または２以上の測定制御パラメータを調整し、前記測定の報告頻度を増加させることと、
前記測定制御パラメータに対する調整が前記無線基地局（２８）の前記容量を超えるかどうか判定することと、
前記測定制御パラメータを再調整し、再調整した前記測定制御パラメータが前記無線基地局（２８）の容量を超えないようにすることと、
を特徴とする、請求項１２に記載の電気通信システム（１０）。
【請求項１５】
前記測定は、ユーザ装置ノード（３０）と前記無線基地局（２８）との間の通信に用いる無線周波数（ＲＦ）チャネルの状態を含むことを特徴とする、請求項１４に記載の電気通信システム（１０）。
【国際調査報告】
2011515873.tif 000008
2011515873.tif 000009
2011515873.tif 000010
2011515873.tif 000011